(57)【要約】【課題】  少ない部品数で容易に端末稼動時のカード脱着を防止できるカード装着部を備えたカード型無線通信端末装置を提供する。【解決手段】  カード型無線通信端末装置は、被装着対象装置内に収容され、無線通信用の送受信端末としての機能を提供するカードインターフェイス部と、カードインターフェイス部から離間する部位に設けられ、被装着対象装置内に収容されない拡張筐体部と、拡張筐体部内に配置され、拡張筐体部に対して挿抜可能なカードを装填するためのカード装填部とを備える。カード装填部は、カード抜取り方向がカードインターフェイス部の被装着対象装置への装着方向と一致するよう配設され、カードインターフェイス部を被装着対象装置に装着した際に、拡張筐体部のカード挿入口と被装着対象装置の筐体側壁とが互いに近接して対向することにより、カード抜取りを防止するよう構成される。【選択図】  図４
2005352581.tif 000002
【特許請求の範囲】
【請求項１】
被装着対象装置内に収容され、無線通信用の送受信端末としての機能を提供するカードインターフェイス部と、
前記カードインターフェイス部から離間する部位に設けられ、被装着対象装置内に収容されない拡張筐体部と、
前記拡張筐体部内に配置され、前記拡張筐体部に対して挿抜可能なカードを装填するためのカード装填部と
を備えるカード型無線通信端末装置であって、前記カード装填部は、前記カードの抜取り方向が前記カードインターフェイス部の被装着対象装置への装着方向と一致するよう配設され、前記カードインターフェイス部を被装着対象装置に装着した際に、前記拡張筐体部のカード挿入口と被装着対象装置の筐体側壁とが互いに近接して対向することを特徴とするカード型無線通信端末装置。
【請求項２】
前記カードはＳＩＭカードであり、かつ、前記カード装填部は、前記拡張筐体部に設けたＳＩＭカード挿入口と、前記ＳＩＭカードを前記カード装填部に装填することで前記ＳＩＭカードの端子部と電気的に接続される端子を有するＳＩＭソケットとを備えることを特徴とする請求項１記載のカード型無線通信端末装置。
【請求項３】
前記カードインターフェイス部は、ＰＣＭＣＩＡ規格に準拠する外形形状を有することを特徴とする請求項１記載のカード型無線通信端末装置。
【請求項４】
前記カード装填部は、ＳＩＭカードを搭載可能なトレイと、前記トレイを前記装着方向にスライド可能に支持するトレイ支持部材と、前記拡張筐体部に設けたＳＩＭカード挿入口と、前記ＳＩＭカードを前記カード装填部に装填することで前記ＳＩＭカードの端子部と電気的に接続される端子を有するＳＩＭソケットとを備えることを特徴とする請求項１記載のカード型無線通信端末装置。
【請求項５】
前記カード装填部は、ＳＩＭカードを前記装着方向にスライド可能に支持するＳＩＭカード支持部材と、前記拡張筐体部に設けたＳＩＭカード挿入口と、前記ＳＩＭカードを前記カード装填部に装填することで前記ＳＩＭカードの端子部と電気的に接続される端子を有するＳＩＭソケットとを備えることを特徴とする請求項１記載のカード型無線通信端末装置。
【発明の詳細な説明】
【技術分野】
【０００１】
本発明は、被装着対象装置に装着されることにより、無線通信用の送受信端末として機能するカード型無線通信端末装置に関し、より詳細には、カード型無線通信端末装置におけるカード装填部の配置方法及び構造に関する。
【背景技術】
【０００２】
従来、ノートＰＣ（personal computer）やＰＤＡ（personal digital assistant）などの携帯型情報機器の機能拡張用に用いられるＰＣＭＣＩＡ（Personal Computer Memory Card International Association）規格準拠のＰＣカードとして、例えば、ハードディスクとして機能するもの、ＳＣＳＩカードとして機能するもの、無線通信用の送受信端末として機能するものなど、各種のＰＣカードが開発されている。
【０００３】
無線通信用の送受信端末として機能するＰＣカードの場合、ＰＣＭＣＩＡ規格に準拠する外形形状を有する筐体に、薄板状のＳＩＭカード（Subscriber Identity Module card）などの、ユーザに固有のデータを保存するためのカードを挿入するカード挿入口が配設される構成が知られている。このようなＰＣカードの筐体内には、カード挿入口から挿入された前記カード下面の接触端子に押圧接触して筐体内のプリント基板の回路と前記カード内の回路とを電気的に接続する接続端子が設けてある。
【０００４】
このようなカード型無線通信端末装置に用いられる、ＳＩＭカードなどのカードには、例えば、通信端末装置の使用者個人を特定する識別データ、発信元を示す契約電話番号データ、課金用のクレジットカード番号などの、ユーザに固有の個人データが記録されている。
【０００５】
したがって、このようなカード型無線通信端末装置において、ＳＩＭカード等のカードを装填するためのカード装填部を搭載する場合、ＳＩＭカードへのデータ読み書き時のＳＩＭカード脱着による、ＳＩＭカードに記憶されたデータの破損等を防止するために、カード型無線通信端末装置の稼働時のＳＩＭカード脱着を防止するような構造的配慮が必要である。
【０００６】
従来のカード型無線通信端末装置の一例として、例えば、特許文献１に示されるように、折り畳み式のディジタル無線電話機における、通話時のＳＩＭカード脱着防止機構として、上部筐体と下部筐体を回動自在に結合するヒンジ部に隣接した下部筐体のケース側壁にＳＩＭカードのカード挿入口を設け、上部筐体にスライド式の保護カバーを設けた構成が知られている。
【０００７】
また、特許文献２に示されるように、ＰＣＭＣＩＡコネクタを前面に備えた電子モジュールの後面に、前面の支持基材とは構造的に独立した閉塞エレメントを設け、該エレメントを外部との通信を可能にするための拡張部として構成するものも知られている。
【０００８】
また、特許文献３には、カード接続用アダプタにおいて、アダプタがＣＦ（Compact Flash（商標））カードスロットに装着された状態でのカード脱落を防止するために、マルチメディアカードのアダプタへの挿入方向を、アダプタ自体のＣＦカードスロットへの挿入方向と直交するように構成したものが示されている。このカード接続用アダプタの後端面に、マルチメディアカード装着の有無を表示する表示機構を設けることにより、アダプタをカードスロットに装着した状態においてマルチメディアカードの装着の有無を確認できる。
【０００９】
さらに、特許文献４、特許文献５に示されるように、従来のＰＣカード型無線通信端末装置において、ＰＣカードを装填するためのカード装填部を配置する場合、ＰＣカードインターフェース部、すなわちカード型無線通信端末装置がホスト装置（例えば、ノートＰＣ等）内に収容される収容部などにカード装填部に配置する構成が一般的である。すなわち、従来のＰＣカード型無線通信端末装置では、比較的、設置スペースが確保しやすい箇所にカード装填部を配置している。
【００１０】
図１は、従来のＰＣカード型通信端末の概略構成を示す構成図である。
【００１１】
図１に示すように、このＰＣカード型通信端末４０の筐体側壁にトレイ挿入口４１が設けてあり、ＳＩＭカード１０を装着したトレイ４２をトレイ挿入口４１に挿入することで、ＳＩＭカード１０がＰＣカード型通信端末４０のカード装填部（図示なし）に装填される。このＰＣカード型通信端末４０の筐体内には、トレイ挿入口４１から挿入されたトレイ４２のＳＩＭカード１０下面の接触端子に押圧接触して筐体内のプリント基板の回路とＳＩＭカード１０内の回路とを電気的に接続する接続端子が設けてある。
【００１２】
このように、図１のＰＣカード型通信端末装置の場合、比較的に設置スペースが確保しやすい、ＰＣカードインターフェイス部に、ＳＩＭカードを収容するためのカード装填部を配置している。
【特許文献１】特開平６−２５２９９１号公報
【特許文献２】特表２００３−５１９４１６号公報
【特許文献３】特開２０００−２１４９７０号公報
【特許文献４】特開平８−１４９０３５号公報
【特許文献５】特開２００２−２９８０９２号公報
【発明の開示】
【発明が解決しようとする課題】
【００１３】
図１に示した従来のＰＣカード型通信端末装置の場合、ＳＩＭカード１０を装着したトレイ４２が筐体側壁のトレイ挿入口４１へ、図１の矢印４３に示す挿入方向に挿入される。このカード型通信端末４０の稼動時には、ＳＩＭカード１０へのデータ読み書きが行われる。図１の従来例のように、トレイ挿入方向４３と反対の方向へのトレイ抜取りを防止するような構造が設置されていないと、端末稼動時にトレイ４２を誤って抜取った場合、ＳＩＭカード１０の脱着により、ＳＩＭカード１０に記憶されたデータを破損する危険がある。
【００１４】
したがって、ＳＩＭカード１０へのデータ読み書き時のＳＩＭカード脱着による、ＳＩＭカード１０に記憶されたデータの破損等を防止するために、このカード型通信端末４０の稼働時のＳＩＭカード脱着を防止するような構造が必要である。
【００１５】
ところで、近年、カード型無線通信端末装置のカードインターフェース部は、ＣＦカード等への対応のため小型化が進展しており、従来のようにカードインターフェース部にカード装填部を設置することが困難になってきている。
【００１６】
カード型無線通信端末装置内の限られたスペースに、端末稼働時のＳＩＭカード脱着防止機構を設けるためには、複雑な構造を採用せざるを得ない。複雑な構造を有するＳＩＭカード脱着防止機構をカード型無線通信端末装置内に設けた場合、操作性や信頼性の低下、および部品の複雑化によるコストアップ等が生じてしまうという問題がある。
【００１７】
本発明は、このような課題に鑑みてなされたものであり、少ない部品数で容易に端末稼動時のカード脱着を防止できるカード装着部を備えたカード型無線通信端末装置を提供することを目的とする。
【課題を解決するための手段】
【００１８】
上記課題を解決するため、本発明のカード型無線通信端末装置は、被装着対象装置内に収容され、無線通信用の送受信端末としての機能を提供するカードインターフェイス部と、前記カードインターフェイス部から離間する部位に設けられ、被装着対象装置内に収容されない拡張筐体部と、前記拡張筐体部内に配置され、前記拡張筐体部に対して挿抜可能なカードを装填するためのカード装填部とを備えるカード型無線通信端末装置であって、前記カード装填部は、前記カードの抜取り方向が前記カードインターフェイス部の被装着対象装置への装着方向と一致するよう配設され、前記カードインターフェイス部を被装着対象装置に装着した際に、前記拡張筐体部のカード挿入口と被装着対象装置の筐体側壁とが互いに近接して対向することを特徴とする。
【００１９】
本発明のカード型無線通信端末装置において、カード装填部は、被装着対象装置内に収容されない拡張筐体部に、カード抜取り方向がカード型無線通信端末装置の被装着対象装置への装着方向と一致するように配設される。カード型無線通信端末装置を被装着対象装置に装着した際に、カード挿入口と被装着対象装置の筐体側壁とが互いに対向し近接することにより、端末稼動時のカード脱着を防止できる。
【発明の効果】
【００２０】
本発明のカード型無線通信端末装置によれば、少ない部品数で容易に端末稼動時のカード脱着を防止することが可能である。また、従来例のようにカードインターフェース部にカード装填部を配設した場合に生じる、操作性や信頼性の低下、および部品の複雑化によるコストアップ等の問題を解消することができる。
【発明を実施するための最良の形態】
【００２１】
以下、本発明の実施の形態について図面に基づいて詳細に説明する。
【００２２】
図２は、本発明の一実施態様におけるカード型無線通信端末の概略構成を示す構成図である。図３は図２のカード型通信端末上面の概略構成を示す上面図であり、図４は図２のカード型通信端末をホスト装置に装着した状態を示す側面図であり、図５は、図２のカード型通信端末正面の概略構成を示す正面図である。
【００２３】
図２および図３に示すように、この実施形態のカード型無線通信端末２０は、ホスト装置（被装着対象装置）内に収容され、無線通信用の送受信端末としての機能を提供するＰＣカードインターフェイス部１８と、ホスト装置内に収容されない拡張筐体部１４と、ＳＩＭカードなどのカードを装填するためのカード装填部２４とから構成される。この実施形態において、カード装填部２４は、ホスト装置内に収容されない拡張筐体部１４に配設されている。
【００２４】
ＰＣカードインターフェイス部１８はＰＣカード端子部１７を備え、このＰＣカード端子部１７が、ホスト装置の筐体の側壁に設けられたＰＣカードスロット（図１０参照）に装着される。このため、ＰＣカードインターフェイス部１８の外形形状は、例えば、ＰＣＭＣＩＡ規格などに準拠させる必要がある。
【００２５】
前述した図１の従来例のように、カード装填部をＰＣカードインターフェイス部に配置した場合には、このような制約があるため、複雑な構造を採用せざるを得ない。ＰＣカードインターフェイス部１８と異なり、拡張筐体部１４の外形形状や内部構造については、比較的自由に設定することが可能である。このような理由から、本実施形態では、カード装填部２４を、ホスト装置内に収容されない拡張筐体部１４に配設している。
【００２６】
図４に示すように、拡張筐体部１４の側壁１５は、無線通信端末２０がホスト装置１に装着された際に、ホスト装置１の筐体２の側壁と互いに近接して対向する位置関係にある。図５に示すように、この拡張筐体部１４の側壁１５に、ＳＩＭカード挿入口１６が形成されている。
【００２７】
本実施形態のカード型無線通信端末２０において、ＳＩＭカード装填部２４は、ホスト装置（被装着対象装置）内に収容されない拡張筐体部１４に、ＳＩＭカード１０の抜取り方向（図２の矢印３１で示す方向）が無線通信端末２０のホスト装置への装着方向（図２の矢印３２で示す方向）に一致するよう配置され、無線通信端末２０がホスト装置に装着された際に、ＳＩＭカード挿入口１６とホスト装置の筐体との位置関係により、ＳＩＭカードの挿抜操作が行えないように構成されている。このため、端末稼働時、すなわち無線通信端末２０がホスト装置に装着された状態において、ＳＩＭカードの脱着を防止できる。
【００２８】
図１０は、図２のカード型無線通信端末を装着した場合のホスト装置の概略構成を示す構成図である。
【００２９】
図１０の例は、図２のカード型無線通信端末２０を、ホスト装置１であるノートＰＣに装着した場合を示す。このノートＰＣは、コンピュータ本体を収容する筐体２と、ディスプレイ画面を装着した表示部３とを備える。ノートＰＣの筐体２の側壁５に、ＰＣカードスロット８が配設してあり、カード型無線通信端末２０であるＰＣカード端末が、このＰＣカードスロット８に装着されている。ＰＣカード端子部１７が、コンピュータ本体に接続されたコネクタ７と接続されることで、ＰＣカード端末２０のＰＣカードインターフェイス部１８は、ノートＰＣに無線通信用の送受信端末としての機能を提供する。
【００３０】
ＰＣカード端末２０のカード装填部２４には、ＳＩＭカード１０が装填してある。図１０に示すように、ＰＣカード端末２０がノートＰＣに装着された状態では、ＳＩＭカード挿入口１６とノートＰＣの筐体側壁５とは互いに近接して対向することにより、ＳＩＭカード１０の挿抜操作が行えないように構成されている。このため、無線通信端末２０がノートＰＣに装着された状態において、端末の稼働時のＳＩＭカード脱着を防止することができる。
【００３１】
したがって、本実施形態のカード型無線通信端末２０によれば、少ない部品数で容易に端末稼動時のカード脱着を防止することが可能である。また、従来例のようにカードインターフェース部にカード装填部を配設した場合に生じる、操作性や信頼性の低下、および部品の複雑化によるコストアップ等の問題を解消する。
【００３２】
図１０の例で適用したノートＰＣのみに限らず、本発明のカード型無線通信端末装置におけるカード装填部の構造を適用できるホスト装置（被装着対象装置）は、パーソナルコンピュータ、ディジタルカメラ、ディジタルボイスレコーダ、ＰＤＡ、携帯電話機のいずれであってもよい。また、本発明のカード型無線通信端末装置におけるカード装填部に装填できるカードはＳＩＭカードのみに限らず、ＣＦカードや、その他の小型メモリカード（スマートメディア、メモリスティックなど）であってもよい。
【００３３】
次に、本発明のカード型無線通信端末装置におけるカード装填部の構成例について説明する。
【００３４】
図６は、図３においてカード型無線通信端末２０をＡ−Ａ線に沿って切断した場合の断面を示す断面図である。図７は、図６においてカード型無線通信端末２０のカード装填部をＢ−Ｂ線に沿って切断した場合の断面を示す断面図である。
【００３５】
この実施形態のカード型無線通信端末２０において、カード装填部は、図６および図７に示すように、ＳＩＭカード１０を搭載可能なトレイ１２と、ＳＩＭカード挿入口１６と、トレイ支持部材２４と、ＳＩＭソケット２２とを備える。
【００３６】
ＳＩＭカード挿入口１６は、無線通信端末２０がホスト装置に装着された際に、ホスト装置の筐体側壁と互いに近接して対向する位置関係にある、端末筐体２１の側壁（すなわち、拡張筐体部１４の側壁１５）に形成されている。
【００３７】
プリント基板２３は、ＰＣカードインターフェイス部１８に接続されており、このプリント基板２３上にＳＩＭソケット２２が配設されている。
【００３８】
トレイ支持部材２４は、プリント基板２３の上方に配設されており、無線通信端末２０の装着方向と平行な方向にスライド可能にトレイ１２を支持する。
【００３９】
図６のカード型無線通信端末において、ＳＩＭカード１０を搭載したトレイ１２が、ＳＩＭカード挿入口１６より挿入されると、トレイ１２はトレイ支持部材２４内に収容される。ＳＩＭカード１０を搭載したトレイ１２を無線通信端末２０に挿入することで、プリント基板２３上のＳＩＭソケット２２の端子とＳＩＭカード１０下面の端子部が電気的に接続される。
【００４０】
このカード型無線通信端末２０が、例えば、ホスト装置１の筐体に設けられたＰＣカードスロットに装着されると、ＰＣカード端子部１７がホスト装置１のコネクタと接続されることで、ＰＣカードインターフェイス部１８は、ホスト装置１に無線通信用の送受信機能を提供する。
【００４１】
無線通信端末２０がホスト装置１に装着された状態では、ＳＩＭカード挿入口１６とホスト装置１の筐体側壁５とは互いに近接して対向する。したがって、無線通信端末２０がホスト装置１に装着された際には、ホスト装置１の筐体側壁５とＳＩＭカード挿入口１６の位置関係により、トレイ１２の挿抜が行えない配置となることにより、端末稼働時のＳＩＭカード脱着を防止できる。
【００４２】
この実施形態のカード型無線通信端末２０のカード装填部は、トレイ１２を使用することにより、無線通信端末２０に対してＳＩＭカード１０を挿抜する際の操作性が向上する。
【００４３】
次に、図８は、本発明の他の実施態様におけるカード型無線通信端末を、図６と同様にＡ−Ａ線に沿って切断した場合の断面を示す断面図である。図９は、図８においてカード型無線通信端末のカード支持部材をＣ−Ｃ線に沿って切断した場合の断面を示す断面図である。
【００４４】
図８及び図９に示すように、この実施形態のカード型無線通信端末２０において、カード装填部は、ＳＩＭカード１０を挿入可能なＳＩＭカード挿入口３６と、ＳＩＭカード支持部材３４と、ＳＩＭソケット２２とを備える。
【００４５】
ＳＩＭカード挿入口３６は、無線通信端末２０がホスト装置に装着された際に、ホスト装置の筐体側壁と互いに近接して対向する位置関係にある、端末筐体２１の側壁（すなわち、拡張筐体部１４の側壁１５）に形成されている。
【００４６】
プリント基板２３は、ＰＣカードインターフェイス部１８と接続されており、このプリント基板２３上にＳＩＭソケット２２が配設されている。
【００４７】
ＳＩＭカード支持部材３４は、プリント基板２３の上方に配設されており、無線通信端末２０の装着方向と平行な方向にスライド可能にＳＩＭカード１０を支持する。
【００４８】
図８のカード型無線通信端末装置において、ＳＩＭカード１０が、ＳＩＭカード挿入口３６より挿入されると、ＳＩＭカード１０はＳＩＭカード支持部材３４内に収容される。ＳＩＭカード１０を無線通信端末２０に挿入することで、プリント基板２３上のＳＩＭソケット２２の端子とＳＩＭカード１０下面の端子部が電気的に接続される。
【００４９】
このカード型無線通信端末２０が、例えば、ホスト装置１の筐体に設けられたＰＣカードスロットに装着されると、ＰＣカード端子部１７がホスト装置１のコネクタと接続されることで、ＰＣカードインターフェイス部１８は、ホスト装置１に無線通信用の送受信機能を提供する。
【００５０】
この実施形態のカード型無線通信端末２０も同様に、無線通信端末２０がホスト装置１に装着された状態では、ＳＩＭカード挿入口３６とホスト装置１の筐体側壁５とは互いに近接して対向する。したがって、無線通信端末２０がホスト装置１に装着された際には、ホスト装置１の筐体側壁５とＳＩＭカード挿入口３６の位置関係により、ＳＩＭカード１０の挿抜が行えない配置となることにより、端末稼働時のＳＩＭカードの脱着を防止できる。
【００５１】
図６の場合と異なり、この実施形態のカード型無線通信端末２０のカード装填部は、トレイ１２を使用しないで、ＳＩＭカード１０を直接ＳＩＭカード支持部材３４内に収容する。したがって、この実施形態のカード型無線通信端末２０は、無線通信端末２０の薄型化が要求される場合に好適である。
【００５２】
以上説明したように、本発明のカード型無線通信端末装置によれば、ＳＩＭカード装填部を、無線通信端末装置の装着時にホスト装置に収容されない、拡張筐体部に、ＳＩＭカード抜取り方向が無線通信端末装置のホスト装置への装着方向に一致するよう配置し、無線通信端末装置がホスト装置に装着された際にはホスト装置の筐体との位置関係により、ＳＩＭカードの挿抜操作が行えないようにしたことで、少ない部品点数で容易に端末稼動時のＳＩＭカード脱着を防止できる。
【００５３】
（付記１）  被装着対象装置内に収容され、無線通信用の送受信端末としての機能を提供するカードインターフェイス部と、前記カードインターフェイス部から離間する部位に設けられ、被装着対象装置内に収容されない拡張筐体部と、前記拡張筐体部内に配置され、前記拡張筐体部に対して挿抜可能なカードを装填するためのカード装填部とを備えるカード型無線通信端末装置であって、前記カード装填部は、前記カードの抜取り方向が前記カードインターフェイス部の被装着対象装置への装着方向と一致するよう配設され、前記カードインターフェイス部を被装着対象装置に装着した際に、前記拡張筐体部のカード挿入口と被装着対象装置の筐体側壁とが互いに近接して対向することを特徴とするカード型無線通信端末装置。
【００５４】
（付記２）  前記カードはＳＩＭカードであり、かつ、前記カード装填部は、前記拡張筐体部に設けたＳＩＭカード挿入口と、前記ＳＩＭカードを前記カード装填部に装填することで前記ＳＩＭカードの端子部と電気的に接続される端子を有するＳＩＭソケットとを備えることを特徴とする付記１記載のカード型無線通信端末装置。
【００５５】
（付記３）  前記カードインターフェイス部は、ＰＣＭＣＩＡ規格に準拠する外形形状を有することを特徴とする付記１記載のカード型無線通信端末装置。
【００５６】
（付記４）  前記カード装填部は、ＳＩＭカードを搭載可能なトレイと、前記トレイを前記装着方向にスライド可能に支持するトレイ支持部材と、前記拡張筐体部に設けたＳＩＭカード挿入口と、前記ＳＩＭカードを前記カード装填部に装填することで前記ＳＩＭカードの端子部と電気的に接続される端子を有するＳＩＭソケットとを備えることを特徴とする付記１記載のカード型無線通信端末装置。
【００５７】
（付記５）  前記カード装填部は、ＳＩＭカードを前記装着方向にスライド可能に支持するＳＩＭカード支持部材と、前記拡張筐体部に設けたＳＩＭカード挿入口と、前記ＳＩＭカードを前記カード装填部に装填することで前記ＳＩＭカードの端子部と電気的に接続される端子を有するＳＩＭソケットとを備えることを特徴とする付記１記載のカード型無線通信端末装置。
【００５８】
（付記６）  前記カードインターフェイス部と接続させたプリント基板を備え、前記カード装填部の前記ＳＩＭソケットは前記プリント基板上に配設されることを特徴とする付記２記載のカード型無線通信端末装置。
【００５９】
（付記７）  前記カードインターフェイス部と接続させたプリント基板を備え、前記カード装填部の前記ＳＩＭソケットは前記プリント基板上に配設されることを特徴とする付記４記載のカード型無線通信端末装置。
【００６０】
（付記８）  前記カードインターフェイス部と接続させたプリント基板を備え、前記カード装填部の前記ＳＩＭソケットは前記プリント基板上に配設されることを特徴とする付記５記載のカード型無線通信端末装置。
【００６１】
（付記９）  前記カードは、ＳＩＭカード、ＣＦカードのいずれかであることを特徴とする付記１記載のカード型無線通信端末装置。
【００６２】
（付記１０）  前記被装着対象装置は、パーソナルコンピュータ、ディジタルカメラ、ディジタルボイスレコーダ、ＰＤＡ、携帯電話機のいずれかであることを特徴とする付記１記載のカード型無線通信端末装置。
【図面の簡単な説明】
【００６３】
【図１】従来のカード型通信端末の概略構成を示す構成図である。
【図２】本発明の一実施態様におけるカード型通信端末の概略構成を示す構成図である。
【図３】図２のカード型通信端末上面の概略構成を示す上面図である。
【図４】図２のカード型通信端末をホスト装置に装着した状態を示す側面図である。
【図５】図２のカード型通信端末正面の概略構成を示す正面図である。
【図６】図３においてカード型通信端末をＡ−Ａ線に沿って切断した場合の断面を示す断面図である。
【図７】図６においてカード型通信端末のトレイ支持部材をＢ−Ｂ線に沿って切断した場合の断面を示す断面図である。
【図８】本発明の他の実施態様におけるカード型通信端末を、図６と同様にＡ−Ａ線に沿って切断した場合の断面を示す断面図である。
【図９】図８においてカード型通信端末のカード支持部材をＣ−Ｃ線に沿って切断した場合の断面を示す断面図である。
【図１０】図２のカード型通信端末を装着した場合のホスト装置の概略構成を示す構成図である。
【符号の説明】
【００６４】
１  ホスト装置
２  ホスト装置筐体
３  表示部
５  筐体側壁
７  コネクタ
８  ＰＣカードスロット
１０  ＳＩＭカード
１２  トレイ
１４  拡張筐体部
１５  拡張筐体部側壁
１６  ＳＩＭカード挿入口
１７  ＰＣカード端子部
１８  ＰＣカードインターフェイス部
２０  カード型無線通信端末
２１  端末筐体
２２  ＳＩＭソケット
２３  プリント基板
２４  カード装填部
３１  カード抜取り方向
３２  端末装着方向
３４  ＳＩＭカード支持部材
３６  ＳＩＭカード挿入口
４０  ＰＣカード型通信端末
４１  トレイ挿入口
４２  トレイ
４３  トレイ挿入方向
【図１】
2005352581.tif 000003
【図２】
2005352581.tif 000004
【図３】
2005352581.tif 000005
【図４】
2005352581.tif 000006
【図５】
2005352581.tif 000007
【図６】
2005352581.tif 000008
【図７】
2005352581.tif 000009
【図８】
2005352581.tif 000010
【図９】
2005352581.tif 000011
【図１０】
2005352581.tif 000012